(57)【特許請求の範囲】
【請求項１】
雌体、ニップル、袋ナットネジ、Ｏ−リングより構成され、雌体内部に差し込まれるニップル先端部外周にＯ−リング溝を形成し、これにＯ−リングを嵌め込んで雌体内周面との間の水密性を保持し、雌体とニップルとを袋ナットネジをもって両者を連結するホ−ス用継手であって、
前記袋ナットネジ３を雌体１の外周側ネジ１ｃに螺合し、かつ、袋ナットネジ３の後端３ａに備えた突条３ｃを雌体１の端面１ｄに当接させることで袋ナットネジ３の最終締め込みがなされ、最終締め込み状態において前記袋ナットネジ３の後端３ａとニップル２の外周の鍔部２ａとが係合した際に、前記雌体１の端面１ｄと前記袋ナットネジ３の後端３ａとの間に配置されるニップル２の鍔部２ａが、雌体１の端面１ｄと軸線方向で接触することなく間隔ｃを保つ、ことを特徴とするホ−ス用継手。
【請求項２】
前記隙間ｃが０．０５〜５ｍｍである、ことを特徴とする請求項１に記載のホ−ス用継手。
【発明の詳細な説明】
【０００１】
【発明の属する技術分野】
本発明はホ−スを他の部材に接続するためのホ−ス用継手に関する。
【０００２】
【従来の技術】
近年、トイレやキッチン、洗面ユニット、風呂場等家庭内の水道配管の一部にフレキシブルホ−スを用いることにより、管材の精密な長さ合わせや、中心合わせ作業を省略し、工事全般の施工性を容易にしようとの試みがなされている。
ところが、フレキシブルホ−スはその柔軟性であるが故に、ホ−ス両端の接続ネジを締め付ける過程で捩じれが加わり易い。このような捩じれはフレキシブルホ−スの性能を損ない兼ねないばかりでなく、ホ−スが予期せぬライン形状を呈し、特に通常目に触れる場所での配管にあっては、美観を確保できないといった問題も発生する。
【０００３】
このフレキシブルホ−スの捩じれを避けるためには、一旦締め込んだネジを再度緩め、予想される捩じれと反対の向きに予めホ−スを捩じっておいて、締め付け作業を行う等の煩雑な調整作業を要している。そして、この問題を排除すべく接続部に自在継手を介在させたり、ホ−ス継手内に自在機構を設けたりする手段が講じられることもある。そのためには予め部材を準備しておかなくてはならないことや、このために費用がかさむ等の問題がある。
【０００４】
【発明が解決しようとする課題】
本発明は、上記事実を考慮して、予め組み込まれた自在機構や別に準備した自在継手を用いることなしに、ホ−ス接続部の自在回転を可能にすることを課題とするものである。
【０００５】
【課題を解決するための手段】
請求項１に記載の発明は、雌体、ニップル、袋ナットネジ、Ｏ−リングより構成され、雌体内部に差し込まれるニップル先端部外周にＯ−リング溝を形成し、これにＯ−リングを嵌め込んで雌体内周面との間の水密性を保持し、雌体とニップルとを袋ナットネジをもって両者を連結するホ−ス用継手であって、前記袋ナットネジ３を雌体１の外周側ネジ１ｃに螺合し、かつ、袋ナットネジ３の後端３ａに備えた突条３ｃを雌体１の端面１ｄに当接させることで袋ナットネジ３の最終締め込みがなされ、最終締め込み状態において前記袋ナットネジ３の後端３ａとニップル２の外周の鍔部２ａとが係合した際に、前記雌体１の端面１ｄと前記袋ナットネジ３の後端３ａとの間に配置されるニップル２の鍔部２ａが、雌体１の端面１ｄと軸線方向で接触することなく間隔ｃを保つ、ことを特徴としている。
【０００６】
請求項２に記載の発明は、請求項１に記載のホ−ス用継手において、前記隙間ｃが０．０５〜５ｍｍである、ことを特徴としている。
【０００７】
【発明の実施の形態】
本発明のホ−ス用継手は以上の構造を有するものであり、ニップル端部外周面にＯ−リング溝及びこれに嵌め込まれたＯ−リングを有し、雌体内にそのＯ−リング部が所定位置まで差し込まれ、ニップル外周面と雌体との間に水密性を確保する。
【０００８】
そして、ニップルは差し込まれた位置から後戻りすることのないよう、ニップル外周に形成された鍔部が袋ナットネジの係合部によって支持されるものであって、袋ナットネジは雌体の外周に刻設した雄ネジに十分なトルクで締め上げられ、水撃振動等による緩みを未然に防止するようになっている。
【０００９】
そして、袋ナットネジの最終締め込み時の雌体とニップルとの間の軸線方向相対位置が正確に決めるための手段を備えているもので、その手段の具体的形態として、袋ナット内周面に設けた突起又は突条をもって位置決めするもので、かかる構成としたことにより、雌体端面とニップル外周の鍔部の前面との間に、一定の隙間を保持するようにしたもので、この隙間が０．０５〜５ｍｍ、好ましくは、０．２〜２ｍｍの構造としたものである。
【００１０】
更に具体的に言えば、ニップル外周に形成された鍔部は雌体の端面と袋ナット係合面との間隔より幾分小さめの設定されるものであり、袋ナットネジが十分締め付けられた後も両者間に隙間が保持されて周方向に回転できるようにしたものである。
【００１１】
本発明によるホ−ス用継手は以上の構成を有するものであり、袋ナットネジを十分締め付けた後も、ニップル（ホ−ス端部）は雌体に対して自由に回転できるものであって、このためホ−スに捩じれが加わることがなくなったものである。そして、回転を可能とするための特別の部材を必要としないという特徴を合わせ持っている。
【００１２】
【実施例】
以下、実施例を説明する前に、図面をもって比較例に係るホ−ス用継手を詳細に説明する。
図１は比較例を示す半裁断面図である。比較例のホ−ス用継手は、雌体１、ニップル２、袋ナットネジ３、Ｏ−リング４より形成される。即ち、雌体１はホ−スが取り付けられる側であり、外周に突条１ａを備えると共に、内管部１ｂが形成されるものである。そして、ニップル２の外周に鍔部２ａを形成すると共に、これより先端側にＯ−リング溝２ｂを形成し、これにＯ−リング４が嵌め込まれている。ニップル２の後端にはフレキシブルホ−ス６が装着され、スリ−ブ５を加締めることによって固定されている。この図ではフレキシブルホ−ス６は内面に耐水性合成ゴム内管６ａと、その外周にステンレス線６ｂが補強材として編み組みされ、更にその外周に塩ビ外被６ｃが被覆されているものである。
【００１３】
袋ナットネジ３は後端３ａをニップル２の鍔部２ａを内包し、雌体１の外周側雄ネジ１ｃに螺合されて連結されるものである。そして、ニップル２の外周に形成された鍔部２ａは、袋ナットネジ３が最終締め込み状態の際に雌体１の端面１ｄと袋ナットネジ３の係合面３ｂとの間隔より幾分小さめの設定されるものであり、袋ナットネジ３が十分締め付けられた後も両者間に隙間ｃが保持されて周方向に回転できるようにしたものである。
【００１４】
次に、比較例のホ−スの接続方法について説明する。
雌体１の内管部１ｂにニップル２の先端を挿入し、袋ナットネジ３が雌体１の雄ネジ１ｃに掛かるまで押し込む。そして、袋ナット３を回しながら、雌体１の外周突条１ａに袋ナット３の左端面が当接するまで十分締め上げる。このようにしてニップル２と雌体１の間はＯ−リング４によって水密性が保たれる。
【００１５】
さて、この際、雌体１の先端の端面１ｄとニップル２の鍔部２ａの相対する面の間は一定の間隔ｃを有するものであって、このため、配管施工後もニップル２は雌体１に対して周方向に自由に回転できることとなり、フレキシブルホ−ス１に例え捩じれが生じたとしてもこの回転によって直にこれが解消されることとなる。尚、かかる隙間ｃは、小さ過ぎると雌体１とニップル２の鍔部２ａの側面が直接接触してしまうケ−スが多くなり、ニップルの回転が阻害される。一方、隙間ｃが大き過ぎると、ホ−ス端部の軸方向遊びが大きくなってしまう。この隙間ｃの好ましい範囲としては０．１〜５ｍｍ、更に好ましくは、０．２〜２ｍｍである。
【００１６】
次に、本発明に係るホ−ス用継手を説明する。
図２は本発明の例を示す半裁断面図である。本発明のホ−ス用継手は、前例と同様に袋ナットネジ３を十分締め付けるが、袋ナットネジ３には雌体の先端の端面１ｄに対して突条３ｃが形成されており、両者を当接させるまで袋ナットネジ３をねじ込むものであり、このことにより隙間ｃが確保されることになる。この図例では雌体の先端の端面１ｄとニップル２の鍔部２ａとの間に隙間ｃを形成するものである。
【００１７】
【発明の効果】
本発明によるホ−スの継手では、袋ナットを十分締め付けた後もホ−ス端部は雌体に対して自由に回転できるのでホ−スに捩じれが加わらず、そのための機能低下の懸念がなく、ホ−スラインも捩じれがなく安定する。
又、このように捩じれを気にせずに配管作業が行えるので、作業効率が上がると同時に特別の訓練を受けた配管技能者でなくても施工ができる、等の利点がある。加うるに、本発明のホ−ス継手は接続部を自在回転可能とするための特別の部材を必要とせず経済的にも優れている。
【図面の簡単な説明】
【図１】  図１は比較例を示す半裁断面図である。
【図２】  図２は本発明を示す半裁断面図である。
【符号の説明】
ｃ‥‥雌体の先端の端面とニップルの鍔部の間隔、
１‥‥雌体、
１ａ‥‥雌体の外周の突条、
１ｂ‥‥雌体の内管部、
１ｃ‥‥雌体の外周側雄ネジ、
１ｄ‥‥雌体の端面、
２‥‥ニップル、
２ａ‥‥ニップルの外周の鍔部、
２ｂ‥‥Ｏ−リング溝、
３‥‥袋ナットネジ、
３ａ‥‥袋ナットネジの後端、
３ｂ‥‥袋ナットネジの係合面、
３ｃ‥‥袋ナットネジの突条、
４‥‥Ｏ−リング、
５‥‥スリ−ブ、
６‥‥フレキシブルホ−ス、
６ａ‥‥内面の耐水性合成ゴム内管、
６ｂ‥‥ステンレス線、
６ｃ‥‥塩ビ外被。
【図１】
0004087480.tif 000002
【図２】
0004087480.tif 000003